(57)【要約】【課題】製造コストの上昇を抑制しながら、押鍵ストローク及びハンマーストロークを容易に調整することができる鍵盤楽器のストローク調整装置を提供する。【解決手段】鍵盤７の左右方向に沿って延び、離鍵状態における複数の鍵７ａの後端部が載置された鍵盤枕１９の高さを調整することにより、複数の鍵７ａの押鍵ストローク及び複数のハンマーのハンマーストロークを調整する鍵盤楽器のストローク調整装置４０であって、鍵盤枕１９の長さ方向の全体にわたって延び、鍵盤枕１９を下方から支持するとともに鍵盤枕１９と一体に上下方向に移動自在の鍵盤枕支持部材４１と、この鍵盤枕支持部材４１の下側に設けられ、エアの流入及び流出に伴い、それぞれ膨張及び収縮することにより、鍵盤枕支持部材４１を昇降させる膨張・収縮体４２と、を備えている。【選択図】図４
2018072752.tif 000002
【特許請求の範囲】
【請求項１】
各々が前後方向に延びかつ長さ方向の中央付近に設けられた支点を中心として揺動自在に構成され、互いに左右方向に並設された複数の鍵を有する鍵盤と、前記複数の鍵ごとに設けられ、対応する鍵の押鍵に連動して回動する複数のハンマーとを備えた鍵盤楽器において、前記鍵盤の左右方向に沿って延び、離鍵状態における前記複数の鍵の後端部が載置された鍵盤枕の高さを調整することにより、前記複数の鍵の押鍵ストローク及び前記複数のハンマーのハンマーストロークを調整する鍵盤楽器のストローク調整装置であって、
前記鍵盤枕の長さ方向の全体にわたって延び、当該鍵盤枕を下方から支持するとともに当該鍵盤枕と一体に上下方向に移動自在の鍵盤枕支持部材と、
この鍵盤枕支持部材の下側に設けられ、エアの流入及び流出に伴いそれぞれ膨張及び収縮することにより、前記鍵盤枕支持部材を昇降させる膨張・収縮体と、
を備えていること特徴とする鍵盤楽器のストローク調整装置。
【請求項２】
前記膨張・収縮体にエアを圧送するためのエアポンプと、
前記膨張・収縮体からエアを排出するためのエア排出装置と、
前記押鍵ストローク及び前記ハンマーストロークを調整するために、ＯＮ状態又はＯＦＦ状態に切替え操作されるストローク調整スイッチと、
前記エアポンプ及び前記エア排出装置を制御する制御装置と、
をさらに備え、
前記制御装置は、前記ストローク調整スイッチがＯＮ状態に切替え操作されたときに、前記エアポンプによって前記膨張・収縮体にエアを圧送することにより、当該膨張・収縮体を膨張させ、前記ストローク調整スイッチがＯＦＦ状態に切替え操作されたときに、前記エア排出手段によって前記膨張・収縮体からエアを排出させることにより、当該膨張・収縮体を収縮させることを特徴とする請求項１に記載の鍵盤楽器のストローク調整装置。
【請求項３】
前記膨張・収縮体は、エアが流入するエア流入口及びエアが流出するエア流出口を有しており、
前記エアポンプは、前記エア流入口にエア通路を介して接続され、
前記エア排出装置は、前記エア流出口に設けられ、前記ストローク調整スイッチがＯＮ状態に切替え操作されたときに閉鎖しかつ当該ストローク調整スイッチがＯＦＦ状態に切替え操作されたときに開放する電磁弁で構成されていることを特徴とする請求項２に記載の鍵盤楽器のストローク調整装置。
【請求項４】
前記膨張・収縮体は、気密性を有する袋から成り、前記鍵盤枕支持部材の長さ方向に沿って延びるとともに、エアの流入に伴い、上下方向に膨張するように構成されていることを特徴とする請求項１ないし３のいずれかに記載の鍵盤楽器のストローク調整装置。
【発明の詳細な説明】
【技術分野】
【０００１】
本発明は、アコースティックピアノや電子ピアノに適用される鍵盤楽器のストローク調整装置に関し、特に、鍵が押し下げられる深さである押鍵ストローク、及び押鍵に伴って回動するハンマーとそのハンマーが打つ弦などとの距離であるハンマーストロークを調整するための鍵盤楽器のストローク調整装置に関する。
【背景技術】
【０００２】
従来、この種のストローク調整装置として、例えば特許文献１に記載されたものが知られている。このストローク調整装置は、一般的なグランドピアノと同様の鍵盤、アクション及びハンマーを有する鍵盤式打楽器に適用されている。この鍵盤式打楽器では、グランドピアノと同様、棚板上に設けられた筬に、鍵盤が下方から支持された状態で載置されている。鍵盤は、前後方向に延びかつ左右方向に並んだ多数の鍵（白鍵及び黒鍵）を有しており、各鍵が、前後方向の中央付近に立設されたバランスピンを中心として揺動自在になっている。また、各鍵には、バランスピンよりも後方にアクションが載置されており、その上部に、上方に回動自在のハンマーが設けられるとともに、ハンマーの上方に前後方向に延びる金属製の発音体が設置されている。このように構成された鍵盤式打楽器では、演奏時に鍵の前端部が押し下げられると、鍵の後部が上動し、アクションが作動する。そして、このアクションにより、ハンマーが押し上げられることによって上方に回動し、発音体を下方から打つことによって楽音が発生する。
【０００３】
また、上記の鍵盤式打楽器に適用されたストローク調整装置は、鍵盤式打楽器の下部に設けられたストローク調整用のペダル（以下、本欄において「ストロークペダル」という）と、このストロークペダルの後端部から上方に延びるとともに、上端部が棚板を貫通して上方に突出するペダル連結棒と、このペダル連結棒から前方に延びるように設けられるとともに前端部が棚板に回動自在に支持されたアームと、このアームの上側に設けられ、筬から上方に出没可能に構成された左右方向に延びるリフティングバーと、このリフティングバーを上方から覆った状態で筬上に設けられ、鍵盤の全ての鍵の後端部が載置されるバックフェルトなどを備えている。
【０００４】
演奏者によってストロークペダルが踏み込まれると、ペダル連結棒が上方にスライドし、アームが上方に回動する。これに伴い、リフティングバーが筬から上方に突出し、バックフェルトを介して、全ての鍵の後端部が押し上げられる。加えて、鍵の後部に載置されたアクションも押し上げられることで、ハンマーも上方に若干、回動した状態に押し上げられる。以上により、全ての鍵の後端部が押し上げられた分、全ての鍵の前端部が下がることにより、鍵の押鍵ストロークが短くなるとともに、ハンマーが押し上げられることによって発音体に近づき、ハンマーストロークも短くなる。その結果、押鍵に伴って上方に回動するハンマーの勢いが弱くなることで、発音体に当たったときの音量が小さくなり、演奏時に弱音が出せるようになっている。
【先行技術文献】
【特許文献】
【０００５】
【特許文献１】特許第５０７０８４４号公報
【発明の概要】
【発明が解決しようとする課題】
【０００６】
上述した従来のストローク調整装置では、ストロークペダルを踏み込んだ状態で左方にずらすように操作することにより、ストロークペダルを踏み込んだ状態に維持し、それにより、押鍵ストローク及びハンマーストロークを短くした状態に維持することが可能である。しかし、このストローク調整装置を、一般に３つのペダル（ソフトペダル、ソステヌートペダル及びラウドペダル）を備えるグランドピアノに適用する場合、上記のストロークペダルを新たに追加しなければならない。この場合、既存のグランドピアノに対し、大幅な設計変更及び多数の追加部品が必要となり、その分、製造コストが上昇してしまうという問題がある。
【０００７】
本発明は、以上のような課題を解決するためになされたものであり、製造コストの上昇を抑制しながら、押鍵ストローク及びハンマーストロークを容易に調整することができる鍵盤楽器のストローク調整装置を提供することを目的とする。
【課題を解決するための手段】
【０００８】
上記の目的を達成するために、請求項１に係る発明は、各々が前後方向に延びかつ長さ方向の中央付近に設けられた支点を中心として揺動自在に構成され、互いに左右方向に並設された複数の鍵を有する鍵盤と、複数の鍵ごとに設けられ、対応する鍵の押鍵に連動して回動する複数のハンマーとを備えた鍵盤楽器において、鍵盤の左右方向に沿って延び、離鍵状態における複数の鍵の後端部が載置された鍵盤枕の高さを調整することにより、複数の鍵の押鍵ストローク及び複数のハンマーのハンマーストロークを調整する鍵盤楽器のストローク調整装置であって、鍵盤枕の長さ方向の全体にわたって延び、鍵盤枕を下方から支持するとともに鍵盤枕と一体に上下方向に移動自在の鍵盤枕支持部材と、この鍵盤枕支持部材の下側に設けられ、エアの流入及び流出に伴いそれぞれ膨張及び収縮することにより、鍵盤枕支持部材を昇降させる膨張・収縮体と、を備えていることを特徴とする。
【０００９】
この構成によれば、離鍵状態における複数の鍵の後端部が鍵盤枕に載置されており、この鍵盤枕を下方から支持する鍵盤枕支持部材が、鍵盤枕と一体に上下方向に移動自在に構成されている。また、鍵盤枕支持部材の下側には、この鍵盤枕支持部材を昇降させる膨張・収縮体が設けられている。この膨張・収縮体は、エアの流入及び流出に伴いそれぞれ膨張及び収縮することで、鍵盤枕支持装置を押し上げたり、その押上げを解除したりすることにより、鍵盤枕支持部材を上下方向に移動させる。そして、この鍵盤枕支持部材の上下方向の移動に伴い、これと一体に、鍵盤枕が昇降する。
【００１０】
上記のように、膨張・収縮体が膨張することで鍵盤枕が上昇し、複数の鍵の後端部が押し上げられると、各鍵は、支点を中心として前下がりの方向に若干揺動する。その結果、各鍵では、後端部が押し上げられた分と同程度、前端部が下がり、鍵が押し下げられる深さである押鍵ストロークが、押上げ前に比べて短くなる。
【００１１】
また、アコースティックピアノでは一般に、鍵の上面において、その支点よりも後ろ側に、ハンマーを回動駆動するためのアクションが載置される。このため、離鍵状態における鍵の後端部の押上げに伴い、アクションも押し上げられ、それにより、回動するハンマーが弦に近づく。その結果、ハンマーでは、弦に近づいた分、ハンマーと弦の距離であるハンマーストロークが、押上げ前に比べて短くなる。一方、電子ピアノでは一般に、ハンマーが対応する鍵の揺動に連動して回動するので、上記のように、離鍵状態における鍵の後端部が押し上げられると、その分、ハンマーがあらかじめ回動する。その結果、ハンマーでは、あらかじめ回動した分、最終的な回動位置までの距離（角度）であるハンマーストロークが、押上げ前に比べて短く（小さく）なる。
【００１２】
以上のように、本発明のストローク調整装置によれば、エアの流入及び流出に伴いそれぞれ膨張及び収縮する膨張・収縮体を用いて、鍵盤枕の高さを調整するので、従来に比べて、部品点数を多くすることがなく、また大幅な設計変更が不要となるため、製造コストの上昇を抑制しながら、押鍵ストローク及びハンマーストロークを容易に調整することができる。なお、エアの流出によって、膨張・収縮体を収縮させることにより、後端部が押し上げられていた複数の鍵が元の位置に戻り、それにより、押鍵ストローク及びハンマーストロークも元に戻る。
【００１３】
請求項２に係る発明は、請求項１に記載の鍵盤楽器のストローク調整装置において、膨張・収縮体にエアを圧送するためのエアポンプと、膨張・収縮体からエアを排出するためのエア排出装置と、押鍵ストローク及びハンマーストロークを調整するために、ＯＮ状態又はＯＦＦ状態に切替え操作されるストローク調整スイッチと、エアポンプ及びエア排出装置を制御する制御装置と、をさらに備え、制御装置は、ストローク調整スイッチがＯＮ状態に切替え操作されたときに、エアポンプによって膨張・収縮体にエアを圧送することにより、膨張・収縮体を膨張させ、ストローク調整スイッチがＯＦＦ状態に切替え操作されたときに、エア排出手段によって膨張・収縮体からエアを排出させることにより、膨張・収縮体を収縮させることを特徴とする。
【００１４】
この構成によれば、ストローク調整スイッチをＯＮ状態に切替え操作することにより、エアポンプによって膨張・収縮体にエアが圧送され、それにより、膨張・収縮体が膨張する。一方、ストロークスイッチをＯＦＦ状態に切替え操作することにより、エア排出手段によって膨張・収縮体からエアが排出され、それにより、膨張・収縮体が収縮する。以上のように、ストローク調整スイッチをＯＮ状態又はＯＦＦ状態の切替え操作により、膨張・収縮体を膨張させたり、収縮させたりすることで、鍵盤枕を容易に昇降させることができ、押鍵ストローク及びハンマーストロークを調整するストローク調整装置を容易に実現することができる。
【００１５】
請求項３係る発明は、請求項２に記載の鍵盤楽器のストローク調整装置において、膨張・収縮体は、エアが流入するエア流入口及びエアが流出するエア流出口を有しており、エアポンプは、エア流入口にエア通路を介して接続され、エア排出装置は、エア流出口に設けられ、ストローク調整スイッチがＯＮ状態に切替え操作されたときに閉鎖しかつストローク調整スイッチがＯＦＦ状態に切替え操作されたときに開放する電磁弁で構成されていることを特徴とする。
【００１６】
この構成によれば、膨張・収縮体を膨張させる場合、エアポンプからのエアを、エア流入口に接続されたエア通路を介して、膨張・収縮体に圧送する。また、膨張・収縮体からエアを排出するエア排出装置は、膨張・収縮体のエア流出口に設けられた電磁弁で構成されている。この電磁弁は、ストローク調整スイッチがＯＮ状態に切替え操作されたときに閉鎖するので、エア流出口からエアが漏れることなく、膨張・収縮体にエアが圧送される。一方、ストローク調整スイッチがＯＦＦ状態に切替え操作されたときには、電磁弁が開放されるので、膨張・収縮体の内外の圧力差や、複数の鍵の後端部の荷重及び鍵盤枕支持部材の自重による押下げによって、膨張・収縮体が押しつぶされ、それにより、膨張・収縮体内のエアがエア流出口を介して排出される。以上のように、エア排出装置として、ストローク調整スイッチのＯＮ／ＯＦＦ状態の切替え操作によって開閉する電磁弁を採用することにより、膨張・収縮体へのエアの圧送及び膨張・収縮体からのエアの排出を容易に実現することができる。
【００１７】
請求項４に係る発明は、請求項１ないし３のいずれかに記載の鍵盤楽器のストローク調整装置において、膨張・収縮体は、気密性を有する袋から成り、鍵盤枕支持部材の長さ方向に沿って延びるとともに、エアの流入に伴い、上下方向に膨張するように構成されていることを特徴とする。
【００１８】
この構成によれば、膨張・収縮体を、上記のように構成された気密性を有する袋で構成することにより、比較的安価に膨張・収縮体を得ることができ、それより、ストローク調整装置の製造コストの抑制を図ることができる。
【図面の簡単な説明】
【００１９】
【図１】本発明の一実施形態によるストローク調整装置を適用したグランドピアノの外観を示す斜視図である。
【図２】図１のグランドピアノの棚板及び筬を示す斜視図である。
【図３】鍵、アクション及びハンマー、並びにストローク調整装置を示す側面図であり、（ａ）は全体を示し、（ｂ）はストローク調整装置及びその周囲を拡大して示している。
【図４】（ａ）及び（ｂ）はそれぞれ、図３（ａ）及び（ｂ）に対応し、鍵盤枕を押し上げた状態を示す。
【図５】ストローク調整装置を模式的に示す図であり、鍵及び鍵盤枕については、それらを背面側から見たときの状態を示す。
【図６】ストローク調整装置の動作を説明するための図であり、（ａ）はストローク調整スイッチがＯＦＦ状態で、膨張・収縮体が収縮した状態、（ｂ）はストローク調整スイッチがＯＮ状態で、膨張・収縮体が膨張した状態を示す。
【発明を実施するための形態】
【００２０】
以下、図面を参照しながら、本発明の好ましい実施形態を詳細に説明する。図１は、本発明の一実施形態による鍵盤楽器のストローク調整装置を適用したグランドピアノを示している。同図に示すように、このグランドピアノ１（鍵盤楽器）は、ピアノ本体２と、これを下方から支持する３つの脚３と、ピアノ本体２の下方に設けられ、３つのペダル４ａを有するペダル組立品４などで構成されている。
【００２１】
ピアノ本体２は、その底面前半部を構成する平板状の棚板５を備えており、この棚板５上に後述する筬６が載置され、この筬６によって、鍵盤７が下方から支持されている。鍵盤７は、各々が前後方向に延びる多数（例えば８８鍵）の鍵（白鍵及び黒鍵）７ａを有しており、これらの鍵７ａが左右方向に並んだ状態で配置されている。
【００２２】
図２に示すように、筬６は、スプルスなどの木質材を井桁状に組み立てたものであり、左右方向に延びる筬前１１、筬中１２及び筬後１３、並びにこれらを連結する前後方向に延びる左右の筬妻１４、１４、及びそれらの間に互いに左右方向に間隔を隔てて配置された複数（図２では４つ）の筬中束１５などで構成されている。筬前１１及び筬中１２にはそれぞれ、多数のフロントピン１６及びバランスピン１７（図３等参照）が立設されており、各鍵７ａが、対応するバランスピン１７（支点）を中心として揺動自在に支持されるとともに、フロントピン１６により、横振れが防止されるようになっている。
【００２３】
筬後１３上には、その長さ方向に沿って、複数（本実施形態では５つ）の鍵盤枕１９が載置されている。各鍵盤枕１９は、フェルトなどから成り、平面形状が横長矩形状に形成されている。そして、これらの鍵盤枕１９には、鍵７ａの前端部が押し下げられていない離鍵状態において、鍵盤７の後ろ下がりに傾斜する全ての鍵７ａの後端部が載置されている。
【００２４】
筬６の左右両端部には、左右の筬妻１４、１４上に前後方向に延びるブラケット台２１、２１が設置されるとともに、これらの間の筬中束１５及び筬後１３上に、複数（本実施形態では４つ）の中間ブラケット台２２が設置されている。また、これらのブラケット台２１及び中間ブラケット台２２を介して、所定形状の複数（本実施形態では６つ）のブラケット２３（図３（ａ）、図４（ａ）参照）が筬６上に設置され、これらのブラケット２３に、左右方向に延びるウィッペンレール２４及びハンマーシャンクレール２５（図３、４参照）が掛け渡されている。そして、これらのウィッペンレール２４及びハンマーシャンクレール２５にそれぞれ、複数のアクション２６及びハンマー２７が鍵７ａごとに回動自在に支持されている。
【００２５】
ここで、図３及び図４を参照して、アクション２６及びハンマー２７について簡単に説明する。両図に示すように、アクション２６は、ウィッペン３１、レペティションレバー３２及びジャック３３を有している。ウィッペン３１は、ウィッペンレール２４にねじ止めされたウィッペンフレンジ３４に回動自在に支持されるとともに、鍵７ａの後部の所定位置に立設されたキャプスタンスクリュー８に載置されている。また、レペティションレバー３２及びジャック３３は、ウィッペン３１の上端部及び前端部にそれぞれ回動自在に支持され、ジャック３３の上端部がレペティションレバー３２の前部を貫通した状態でこれに係合している。
【００２６】
一方、ハンマー２７は、前後方向に所定長さ延びるハンマーシャンク３６と、その先端部に設けられたハンマーヘッド３７と、ハンマーシャンク３６の基端寄りの所定位置に下方に突設されたシャンクローラ３８とを有している。そして、このハンマー２７は、ハンマーシャンク３６の基端部において、ハンマーシャンクレール２５にねじ止めされたハンマーシャンクフレンジ３９に回動自在に支持されるとともに、シャンクローラ３８がレペティションレバー３２に載置されている。
【００２７】
以上のように構成されたアクション２６及びハンマー２７では、対応する鍵７ａの前端部が押し下げられると、鍵７ａの後部が上動する。それに伴い、アクション２６では、ウィッペン３１が上方に回動しながら、レペティションレバー３２及びジャック３３が所定動作を実行する。これにより、ハンマー２７が上方に回動し、水平に張設された弦Ｓをハンマーヘッド３７で下方から打弦することによって、楽音が発生する。
【００２８】
次に、本発明のストローク調整装置４０について説明する。図５に示すように、ストローク調整装置４０は、前記複数の鍵盤枕１９を下方からそれぞれ支持する複数（本実施形態では５つ。図５では２つのみ図示）の鍵盤枕支持部材４１と、これらの鍵盤枕支持部材４１の下側に設けられ、エアの流入及び流出によってそれぞれ膨張及び収縮する複数（本実施形態では５つ。図５では２つのみ図示）の膨張・収縮体４２と、これらの膨張・収縮体４２にエアを圧送するためのエアポンプ４３と、このエアポンプ４３及び各膨張・収縮体４２の後述する電磁弁５２ｂを制御する制御装置４４（制御手段）と、押鍵ストローク及びハンマーストロークを調整するために、ＯＮ状態又はＯＦＦ状態に切替え操作されるストローク調整スイッチ４５などを備えている。
【００２９】
なお、上記のエアポンプ４３、制御装置４４及びストローク調整スイッチ４５は電線４６を介して、電気的に接続されている。また、ストローク調整スイッチ４５は、ピアノ本体２の適当な箇所、例えば棚板５の下面や、鍵盤７の側方の拍子木などに設けられている。
【００３０】
各鍵盤枕支持部材４１は、対応する鍵盤枕１９の長さ方向の全体にわたって延びており、両端部が左右のガイドレール４７、４７に上下方向に摺動自在に係合している。これにより、鍵盤枕支持部材４１は、両ガイドレール４７、４７に案内されながら、鍵盤枕１９と一体に上下方向に移動自在になっている。
【００３１】
各膨張・収縮体４２は、気密性を有する合成樹脂製の袋から成り、筬後１３に埋設された状態で左右方向に所定長さ延びるとともに、内部へのエアの流入によって、上下方向に膨張するように構成されている。また、膨張・収縮体４２には、その内部にエアが流入するエア流入部５１と、内部からエアが流出するエア流出部５２が設けられている。具体的には、エア流入部５１は、開口するエア流入口５１ａを有しており、このエア流入口５１ａに、エアポンプ４３からのエアを供給するためのエアチューブ５３（エア通路）が接続されている。一方、エア流出部５２は、開口するエア流出口５２ａと、このエア流出口５２ａを、ストローク調整スイッチ４５の切替え操作に応じて開閉する電磁弁５２ｂ（エア排出装置）とを有している。
【００３２】
エアポンプ４３は、制御装置４４からの制御指令に応じて作動し、エアチューブ５３を介して、各膨張・収縮体４２にエアを圧送するように構成されている。
【００３３】
制御装置４４は、ストローク調整スイッチ４５のＯＮ／ＯＦＦ操作に応じ、エアポンプ４３及び各膨張・収縮体４２のエア流出部５２の電磁弁５２ｂを制御する。具体的には、ストローク調整スイッチ４５がＯＮ状態に切替え操作されたときには、各膨張・収縮体４２の上記電磁弁５２ｂを閉鎖するとともに、エアポンプ４３を所定時間、作動させる。これにより、膨張・収縮体４２が、上方に膨張する。
【００３４】
図６（ａ）及び（ｂ）はそれぞれ、膨張・収縮体４２が収縮及び膨張した状態を示している。同図（ｂ）に示すように、膨張・収縮体４２が膨張すると、その高さ寸法が膨張前に比べて大きくなり、それにより、鍵盤枕支持部材４１が鍵盤枕１９とともに押し上げられる。この場合、その鍵盤枕１９に後端部が載置された複数の鍵７ａでは、それぞれの後端部が所定高さ（例えば１．５ｍｍ）、押し上げられる。
【００３５】
上記のように、鍵７ａの後端部が押し上げられると、図４に示すように、各鍵７ａは、対応するバランスピン１７を中心として前下がり（図４では左下がり）の方向に若干揺動する。その結果、鍵７ａでは、後端部が押し上げられた分と同程度、前端部が下がり、鍵７ａが押し下げられる深さである押鍵ストロークが、押上げ前に比べて短くなる。
【００３６】
また、この場合、鍵７ａの後端部が押し上げられることにより、鍵７ａの後部のキャプスタンスクリュー８に載置されたアクション２６も押し上げられる。そして、アクション２６のレペティションレバー３２にシャンクローラ３８を介して載置されたハンマー２７は、図４（ｂ）に実線で示すように、反時計方向に若干回動し、それにより、ハンマーヘッド３７が上方の弦Ｓに近づく。その結果、ハンマー２７では、ハンマーヘッド３７が弦Ｓに近づいた分、ハンマーヘッド３７と弦Ｓの距離であるハンマーストロークが、押上げ前に比べて短くなる。
【００３７】
一方、ストローク調整スイッチ４５がＯＦＦ状態に切替え操作されたときには、各膨張・収縮体４２のエア流出部５２の電磁弁５２ｂが開放される。この場合、膨張・収縮体４２の内外の圧力差や、複数の鍵７ａの後端部の荷重及び鍵盤枕支持部材４１の自重による押下げによって、膨張・収縮体４２が押しつぶされた状態になる。それにより、図６（ａ）に示すように、膨張・収縮体４２内のエアが、エア流出部５２のエア流出口５２ａを介して外部に排出され、その膨張・収縮体４２が収縮する。その結果、膨張・収縮体４２の高さ寸法が膨張前に戻るとともに、鍵盤枕支持部材４１が上昇前の高さに戻る。これにより、鍵盤７の全ての鍵７ａの後端部も、押上げ前の高さに戻ることで、押鍵ストローク及びハンマーストロークも、調整前の状態に戻る。
【００３８】
以上のように、本実施形態によれば、ストローク調整スイッチ４５をＯＮ状態に切替え操作することによって、エアポンプ４３で複数の膨張・収縮体４２にエアを圧送し、これらの膨張・収縮体４２を膨張させる。これにより、鍵盤枕支持部材４１を介して鍵盤枕１９を上昇させ、離鍵状態における鍵盤７の全ての鍵７ａの後端部を押し上げることにより、押鍵ストローク及びハンマーストロークを容易に調整することができる。このように、押鍵ストローク及びハンマーストロークを調整できることにより、演奏時における弱音のコントロール性を十分に得ることができるとともに、より小さな音を出すことが可能になることにより、ダイナミックレンジをより一層広げることができる。
【００３９】
また、ストローク調整スイッチ４５をＯＦＦ状態に切替え操作することによって、各膨張・収縮体４２のエア流出部５２の電磁弁５２ｂを開放し、内部のエアを排出することにより、全ての膨張・収縮体４２を収縮させる。これにより、鍵盤枕支持部材４１を介して押し上げられていた鍵盤枕１９を下降させ、後端部が押し上げられていた全ての鍵７ａを元の位置に戻し、それにより、押鍵ストローク及びハンマーストロークを、調整前の元の状態に容易に戻すことができる。
【００４０】
なお、本発明は、説明した上記実施形態に限定されることなく、種々の態様で実施することができる。例えば、実施形態では、本発明のストローク調整装置４０をグランドピアノに適用した場合について説明したが、本発明はこれに限定されるものではなく、アップライトピアノはもちろん、押鍵に連動して回動するハンマーを有する電子ピアノにも適用することが可能である。
【００４１】
また、実施形態では、ストローク調整装置４０において、５つの膨張・収縮体４２を用いたが、鍵盤７の左右方向の全体にわたって延びるように構成された単一の膨張・収縮体を用いることも可能である。さらに、実施形態では、本発明のエア排出装置として、エア流出口５２ｂを開閉する電磁弁５２ｂを採用したが、本発明はこれに限定されるものではなく、膨張・収縮体４２内のエアを吸引して排出するような装置を用いることも可能である。
【００４２】
また、実施形態で示したストローク調整装置４０の細部の構成などは、あくまで例示であり、本発明の趣旨の範囲内で適宜、変更することができる。
【符号の説明】
【００４３】
１    グランドピアノ（鍵盤楽器）
５    棚板
６    筬
７    鍵盤
７ａ  鍵
１７    バランスピン（支点）
１９    鍵盤枕
２６    アクション
２７    ハンマー
４０    ストローク調整装置
４１    鍵盤枕支持部材
４２    膨張・収縮体
４３    エアポンプ
４４    制御装置
４５    ストローク調整スイッチ
４７    ガイドレール
５１    エア流入部
５１ａ  エア流入口
５２    エア流出部
５２ａ  エア流出口
５２ｂ  電磁弁（エア排出装置）
５３    エアチューブ（エア通路）
Ｓ    弦
【図１】
2018072752.tif 000003
【図２】
2018072752.tif 000004
【図３】
2018072752.tif 000005
【図４】
2018072752.tif 000006
【図５】
2018072752.tif 000007
【図６】
2018072752.tif 000008